(57)【要約】【課題】本発明は多機能手提げライトを開示した。【解決手段】メインライトを含み、前記ライトの中には円形チャンバが設けられ、前記円形チャンバの中には照明機構が設けられ、前記円形チャンバの左側端壁には円台溝が設けられ、前記円台溝が外部と連通するように設けられ、前記円形チャンバの右側にはスライドチャンバが設けられ、前記スライドチャンバの中には位置制限機構が設けられ、前記メインライトの頂端には二組のスライド溝が左右に対称的に設けられ、本発明の手提げライトは三つの使用状態があり、懐中電灯として遠いところへ照らすことができ、ペンダントランプとして下に照らすこともでき、またデスクトップに置いたライトとしても使用でき、ライトの機能を多様化する。【選択図】図１
2020181794.tif 000002
【特許請求の範囲】
【請求項１】
正面視で、メインライトを含み、前記ライトの中には円形チャンバが設けられ、前記円形チャンバの中には照明機構が設けられ、前記円形チャンバの左側端壁には円台溝が設けられ、前記円台溝が外部と連通するように設けられ、前記円形チャンバの右側にはスライドチャンバが設けられ、前記スライドチャンバの中には位置制限機構が設けられ、前記メインライトの頂端には二組のスライド溝が左右に対称的に設けられ、二組の前記スライド溝の間には照明機構の照明角度を変える動力機構が設けられ、前記メインライトの底端には光通しカバーが固定的に設けられ、前記光通しカバーがすりガラスであり、前記光通しカバーの中には光反射チャンバが設置され、前記光通しカバーの底端にはスタンドが固定的に設けられ、前記光反射チャンバと前記円形チャンバとが第一抜き穴により連通し設けられ、前記スタンドの中には前記光反射チャンバと連通している第二抜き穴が設けられ、前記第二抜き穴が前記第一抜き穴の下方に位置しており、本装置が掛かれた時に、前記照明機構を下に照明させ、これにより光が前記第一抜き穴と前記第二抜き穴とを透過できて下に照らし、前記光反射チャンバの中には光反射機構が設けられ、反射された光に前記光通しカバーを通させ外へ発散できるようにさせ、前記メインライトの頂端には取っ手が固定的に設けられることを特徴とする多機能手提げライト。
【請求項２】
前記照明機構は前記円形チャンバの前後端壁の間に回転できるように設けられた第一引っ掛かり溝を含み、前記第一引っ掛かり溝の外周には二組の前後に対称している円盤が固定的に設けられ、二組の前記円盤の間にはライトスタンドが固定的に設けられ、前記ライトスタンドの中には照明ライトが設けられ、円盤の回転により、照明ライトを水平状態にさせ、これにより光が前記円台溝を透過し外へ水平方向に照らすことができることを特徴とする請求項１に記載の多機能手提げライト。
【請求項３】
前記位置制限機構は前記スライドチャンバの中にスライドできるように設けられたピンを含み、前記ピンが左右に伸びるように設けられ、前記ピンの上下端面にはいずれも復帰ブロックが固定的に設けられ、二組の前記復帰ブロックと前記スライドチャンバの片側端壁との間にはいずれもバネが取り付けられ、前記ピンの片側末端が斜面であり、前記ピンのもう一側の末端には前記メインライトの外に位置している固定ブロックが固定的に設けられ、後側の前記円盤の外周には第一引っ掛かり溝と第二引っ掛かり溝が設けられ、前記第二引っ掛かり溝と前記第一引っ掛かり溝の大きさが同じであることを特徴とする請求項１に記載の多機能手提げライト。
【請求項４】
前記動力機構は前記円形チャンバの頂壁の中にスライドできるように設けられたスライドロッドを含み、前記スライドロッドの頂端には引きリングが固定的に設けられ、前記引きリングの左右両端にはいずれも細い連結ロッドがヒンジによって連結され、二組の前記スライド溝の中にはいずれも小型スライドブロックがスライドできるように設けられ、前記小型スライドブロックと前記スライド溝の片側端壁の間にはいずれも引っ張りバネが取り付けられ、前記小型スライドブロックと前記細い連結ロッドの一端とがヒンジによって連結され、前記スライドロッドの底端には第一連結ロッドがヒンジによって連結され、前記第一連結ロッドと後側に位置している前記円盤とがヒンジによって連結されることを特徴とする請求項１に記載の多機能手提げライト。
【請求項５】
前記光反射機構は前記スタンドの外周に設けられた円環溝を含み、前記円環溝の中にはリングギヤが回転できるように設けられ、前記円環溝の頂壁にはねじロッド軸が回転できるように設けられ、前記ねじロッド軸が左右に対称的に二組設けられ、前記ねじロッド軸の上半部分にはねじ山が設けられ、二組の前記ねじロッド軸の底端にはいずれも前記円環溝の中に位置している歯車が固定的に設けられ、前記円環溝と前記リングギヤの内側とが噛み合い、二組の前記ねじロッド軸の外周にはいずれもねじ山ブロックがねじ山によって連結され、二組の前記ねじブロックと前記光反射チャンバとの間にはいずれも第二連結ロッドがヒンジによって連結され、前記光反射チャンバの底壁には半円形スライドブロックがスライドできるように設けられ、前記半円形スライドブロックが左右に対称的に二組設けられ、前記半円形スライドブロックの頂端にはいずれも第一反射鏡が固定的に設けられ、二組の前記第一反射鏡が一つの円形に組み合わせられることができ、また前記第一反射鏡が凸面に設計され、二組の前記半円形スライドブロックと前記ねじ山ブロックとの間には第三連結ロッドがヒンジによって連結され、前記光反射チャンバの頂壁には第二反射鏡が固定的に設けられることを特徴とする請求項１に記載の多機能手提げライト。
【発明の詳細な説明】
【技術分野】
【０００１】
本発明は手提げライト分野を取り上げて、具体的には多機能手提げライトである。
【背景技術】
【０００２】
今市販の手提げライトのほとんどが単一の手持ち照明機能を持ち、更に構造が簡単であり、よく見られており、設計が新しくなく、競争力がなく、使用要求に満足できなく、従って、多機能の普及価値がある手提げライトを設計する必要がある。
【先行技術文献】
【特許文献】
【０００３】
【特許文献１】中国特許出願公開第１０８２５３３２６号明細書
【発明の概要】
【発明が解決しようとする課題】
【０００４】
本発明の目的は多機能手提げライトを提供し、それは上記の現在の技術中の問題を解決できる。
【課題を解決するための手段】
【０００５】
本発明の多機能手提げライトはメインライトを含み、前記ライトの中には円形チャンバが設けられ、前記円形チャンバの中には照明機構が設けられ、前記円形チャンバの左側端壁には円台溝が設けられ、前記円台溝が外部と連通するように設けられ、前記円形チャンバの右側にはスライドチャンバが設けられ、前記スライドチャンバの中には位置制限機構が設けられ、前記メインライトの頂端には二組のスライド溝が左右に対称的に設けられ、二組の前記スライド溝の間には照明機構の照明角度を変える動力機構が設けられ、前記メインライトの底端には光通しカバーが固定的に設けられ、前記光通しカバーがすりガラスであり、前記光通しカバーの中には光反射チャンバが設置され、前記光通しカバーの底端にはスタンドが固定的に設けられ、前記光反射チャンバと前記円形チャンバとが第一抜き穴により連通し設けられ、前記スタンドの中には前記光反射チャンバと連通している第二抜き穴が設けられ、前記第二抜き穴が前記第一抜き穴の下方に位置しており、本装置が掛かれた時に、前記照明機構を下に照明させ、これにより光が前記第一抜き穴と前記第二抜き穴とを透過できて下に照らし、前記光反射チャンバの中には光反射機構が設けられ、反射された光に前記光通しカバーを通させ外へ発散できるようにさせ、前記メインライトの頂端には取っ手が固定的に設けられる。
【０００６】
更の技術プラン、前記照明機構は前記円形チャンバの前後端壁の間に回転できるように設けられた第一引っ掛かり溝を含み、前記第一引っ掛かり溝の外周には二組の前後に対称している円盤が固定的に設けられ、二組の前記円盤の間にはライトスタンドが固定的に設けられ、前記ライトスタンドの中には照明ライトが設けられ、円盤の回転により、照明ライトを水平状態にさせ、これにより光が前記円台溝を透過し外へ水平方向に照らすことができる。
【０００７】
更の技術プラン、前記位置制限機構は前記スライドチャンバの中にスライドできるように設けられたピンを含み、前記ピンが左右に伸びるように設けられ、前記ピンの上下端面にはいずれも復帰ブロックが固定的に設けられ、二組の前記復帰ブロックと前記スライドチャンバの片側端壁との間にはいずれもバネが取り付けられ、前記ピンの片側末端が斜面であり、前記ピンのもう一側の末端には前記メインライトの外に位置している固定ブロックが固定的に設けられ、後側の前記円盤の外周には第一引っ掛かり溝と第二引っ掛かり溝が設けられ、前記第二引っ掛かり溝と前記第一引っ掛かり溝の大きさが同じであり。
【０００８】
更の技術プラン、前記動力機構は前記円形チャンバの頂壁の中にスライドできるように設けられたスライドロッドを含み、前記スライドロッドの頂端には引きリングが固定的に設けられ、前記引きリングの左右両端にはいずれも細い連結ロッドがヒンジによって連結され、二組の前記スライド溝の中にはいずれも小型スライドブロックがスライドできるように設けられ、前記小型スライドブロックと前記スライド溝の片側端壁の間にはいずれも引っ張りバネが取り付けられ、前記小型スライドブロックと前記細い連結ロッドの一端とがヒンジによって連結され、前記スライドロッドの底端には第一連結ロッドがヒンジによって連結され、前記第一連結ロッドと後側に位置している前記円盤とがヒンジによって連結され。
【０００９】
更の技術プラン、前記光反射機構は前記スタンドの外周に設けられた円環溝を含み、前記円環溝の中にはリングギヤが回転できるように設けられ、前記円環溝の頂壁にはねじロッド軸が回転できるように設けられ、前記ねじロッド軸が左右に対称的に二組設けられ、前記ねじロッド軸の上半部分にはねじ山が設けられ、二組の前記ねじロッド軸の底端にはいずれも前記円環溝の中に位置している歯車が固定的に設けられ、前記円環溝と前記リングギヤの内側とが噛み合い、二組の前記ねじロッド軸の外周にはいずれもねじ山ブロックがねじ山によって連結され、二組の前記ねじブロックと前記光反射チャンバとの間にはいずれも第二連結ロッドがヒンジによって連結され、前記光反射チャンバの底壁には半円形スライドブロックがスライドできるように設けられ、前記半円形スライドブロックが左右に対称的に二組設けられ、前記半円形スライドブロックの頂端にはいずれも第一反射鏡が固定的に設けられ、二組の前記第一反射鏡が一つの円形に組み合わせられることができ、また前記第一反射鏡が凸面に設計され、二組の前記半円形スライドブロックと前記ねじ山ブロックとの間には第三連結ロッドがヒンジによって連結され、前記光反射チャンバの頂壁には第二反射鏡が固定的に設けられ。
【発明の効果】
【００１０】
本発明の手提げライトは三つの使用状態があり、懐中電灯として遠いところへ照らすことができ、ペンダントランプとして下に照らすこともでき、またデスクトップに置いたライトとしても使用でき、複数の機能を持ち、伝統的な手提げライトの機能の単一のデメリットを補った。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の多機能手提げライトの内部全体構成略図
【図２】図２は本発明のねじ山ブロックの部分拡大略図
【図３】図３は本発明の小型スライドブロックの部分拡大略図
【図４】図４は本発明の半円形スライドブロックの略図
【図５】図５は本発明の円盤の側面図
【図６】図６は本発明の後側に位置する円盤の断面図
【図７】図７は本発明のピンの略図
【発明を実施するための形態】
【００１３】
図１〜７を参照し、本発明の多機能手提げライトはメインライト１０を含み、前記ライト１０の中には円形チャンバ１１が設けられ、前記円形チャンバ１１の中には照明機構８１が設けられ、前記円形チャンバ１１の左側端壁には円台溝１２が設けられ、前記円台溝１２が外部と連通するように設けられ、前記円形チャンバ１１の右側にはスライドチャンバ１９が設けられ、前記スライドチャンバ１９の中には位置制限機構８２が設けられ、前記メインライト１０の頂端には二組のスライド溝５２が左右に対称的に設けられ、二組の前記スライド溝５２の間には照明機構８１の照明角度を変える動力機構８３が設けられ、前記メインライト１０の底端には光通しカバー１３が固定的に設けられ、前記光通しカバー１３がすりガラスであり、前記光通しカバー１３の中には光反射チャンバ１４が設置され、前記光通しカバー１３の底端にはスタンド６０が固定的に設けられ、前記光反射チャンバ１４と前記円形チャンバ１１とが第一抜き穴１５により連通し設けられ、前記スタンド６０の中には前記光反射チャンバ１４と連通している第二抜き穴１６が設けられ、前記第二抜き穴１６が前記第一抜き穴１５の下方に位置しており、本装置が掛かれた時に、前記照明機構８１を下に照明させ、これにより光が前記第一抜き穴１５と前記第二抜き穴１６とを透過できて下に照らし、前記光反射チャンバ１４の中には光反射機構８４が設けられ、反射された光に前記光通しカバー１３を通させ外へ発散できるようにさせ、前記メインライト１０の頂端には取っ手２８が固定的に設けられる。
【００１４】
前記照明機構８１は前記円形チャンバ１１の前後端壁の間に回転できるように設けられた第一引っ掛かり溝３９を含み、前記第一引っ掛かり溝３９の外周には二組の前後に対称している円盤２４が固定的に設けられ、二組の前記円盤２４の間にはライトスタンド２２が固定的に設けられ、前記ライトスタンド２２の中には照明ライト２３が設けられ、円盤２４の回転により、照明ライト２３を水平状態にさせ、これにより光が前記円台溝１２を透過し外へ水平方向に照らすことができる。
【００１５】
前記位置制限機構８２は前記スライドチャンバ１９の中にスライドできるように設けられたピン１８を含み、前記ピン１８が左右に伸びるように設けられ、前記ピン１８の上下端面にはいずれも復帰ブロック２１が固定的に設けられ、二組の前記復帰ブロック２１と前記スライドチャンバ１９の片側端壁との間にはいずれもバネ２０が取り付けられ、前記ピン１８の片側末端が斜面であり、前記ピン１８のもう一側の末端には前記メインライト１０の外に位置している固定ブロック１７が固定的に設けられ、後側の前記円盤２４の外周には第一引っ掛かり溝３９と第二引っ掛かり溝３７が設けられ、前記第二引っ掛かり溝３７と前記第一引っ掛かり溝３９の大きさが同じであり、前記ライトスタンド２２が下に向く時、前記ピン１８が前記第一引っ掛かり溝３９の中に挿入され、前記円盤２４の位置を固定させ、これにより光を下に向いて照らさせ、前記ライトスタンド２２が水平位置にある時、前記ピン１８が前記第二引っ掛かり溝３７の中に挿入され、前記ライトスタンド２２を固定する。
【００１６】
前記動力機構８３は前記円形チャンバ１１の頂壁の中にスライドできるように設けられたスライドロッド２６を含み、前記スライドロッド２６の頂端には引きリング２７が固定的に設けられ、前記引きリング２７の左右両端にはいずれも細い連結ロッド２９がヒンジによって連結され、二組の前記スライド溝５２の中にはいずれも小型スライドブロック５３がスライドできるように設けられ、前記小型スライドブロック５３と前記スライド溝５２の片側端壁の間にはいずれも引っ張りバネ５４が取り付けられ、前記小型スライドブロック５３と前記細い連結ロッド２９の一端とがヒンジによって連結され、前記スライドロッド２６の底端には第一連結ロッド２５がヒンジによって連結され、前記第一連結ロッド２５と後側に位置している前記円盤２４とがヒンジによって連結され、位置制限機構８２が開けられた後、前記引きリング２７を引き動かすことにより、前記スライドロッド２６を上にスライドさせ、それにより前記円盤２４を回転させ、それにより前記ライトスタンド２２を水平位置にさせ、前記照明ライト２３の光が前記円台溝１２を透過して左側へ照らし、二組の前記小型スライドブロック５３が互いに近づき、前記引きリング２７を放した後、前記引っ張りバネ５４が前記小型スライドブロック５３を引いて戻らせ、前記円盤２４を下に照らせることができる。
【００１７】
前記光反射機構８４は前記スタンド６０の外周に設けられた円環溝３２を含み、前記円環溝３２の中にはリングギヤ３１が回転できるように設けられ、前記円環溝３２の頂壁にはねじロッド軸３０が回転できるように設けられ、前記ねじロッド軸３０が左右に対称的に二組設けられ、前記ねじロッド軸３０の上半部分にはねじ山が設けられ、二組の前記ねじロッド軸３０の底端にはいずれも前記円環溝３２の中に位置している歯車３３が固定的に設けられ、前記円環溝３２と前記リングギヤ３１の内側とが噛み合い、二組の前記ねじロッド軸３０の外周にはいずれもねじ山ブロック３６がねじ山によって連結され、二組の前記ねじブロック３６と前記光反射チャンバ１４との間にはいずれも第二連結ロッド３４がヒンジによって連結され、前記光反射チャンバ１４の底壁には半円形スライドブロック４０がスライドできるように設けられ、前記半円形スライドブロック４０が左右に対称的に二組設けられ、前記半円形スライドブロック４０の頂端にはいずれも第一反射鏡４１が固定的に設けられ、二組の前記第一反射鏡４１が一つの円形に組み合わせられることができ、また前記第一反射鏡４１が凸面に設計され、二組の前記半円形スライドブロック４０と前記ねじ山ブロック３６との間には第三連結ロッド３５がヒンジによって連結され、前記光反射チャンバ１４の頂壁には第二反射鏡４２が固定的に設けられ、前記第二反射鏡４２が光を反射でき、手動で前記リングギヤ３１を回転させ、前記歯車３３に前記ねじロッド軸３０を回転連動させ、これにより前記ねじ山ブロック３６を上下にスライドさせることができ、これにより二組の前記半円形スライドブロック４０を連結させる或いは離れさせ、二組の前記半円形スライドブロック４０が連結された時、光が前記第一反射鏡４１により反射されることができ、離れた時に、光が前記第二抜き穴１６を透過して下へ照らす。
【００１８】
使用する時、手提げで使用すると、右にピン１８を引き動かし、ピン１８を第一引っ掛かり溝３９から離脱させ、手で前記取っ手２８を提げ、引きリング２７を引き動かし、スライドロッド２６を上に移動させ、これにより円盤２４を回転させ、ライトスタンド２２を水平位置にさせ、この時ピン１８が第二引っ掛かり溝３７の中に挿入され、円盤２４の位置を制限し、照明ライト２３をつけ、使用し、ペンダントランプとして使用するとき、取っ手２８を掛け、照明ライト２３を下に向かせ、同時にピン１８を第一引っ掛かり溝３９の中に挿入し、またリングギヤ３１を回転させ、歯車３３にねじロッド軸３０を回転連動させ、これによりねじ山ブロック３６を上に移動させ、二組の半円形スライドブロック４０を離れさせ、これにより光に第二抜き穴１６を透過させて下へ照らさせ、デスクトップに置いて使用する時、照明ライト２３を下に向いたままにさせ、リングギヤ３１を逆方向に回転させ、ねじ山ブロック３６を下に移動させ、これにより半円形スライドブロック４０を互いに近づけ、光を第一反射鏡４１に照らさせ、第一反射鏡４１の反射により、光反射チャンバ１４に照らされ、光反射チャンバ１４が反射し、光に光通しカバー１３を透過させて発散させる。
【００１９】
本発明の有益効果は：本発明の手提げライトは三つの使用状態があり、懐中電灯として遠いところへ照らすことができ、ペンダントランプとして下に照らすこともでき、またデスクトップに置いたライトとしても使用でき、複数の機能を持ち、伝統的な手提げライトの機能の単一のデメリットを補った。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181794.tif 000003
【図２】
2020181794.tif 000004
【図３】
2020181794.tif 000005
【図４】
2020181794.tif 000006
【図５】
2020181794.tif 000007
【図６】
2020181794.tif 000008
【図７】
2020181794.tif 000009
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
正面視で、メインライトを含み、前記ライトの中には円形チャンバが設けられ、前記円形チャンバの中には照明機構が設けられ、前記円形チャンバの左側端壁には円台溝が設けられ、前記円台溝が外部と連通するように設けられ、前記円形チャンバの右側にはスライドチャンバが設けられ、前記スライドチャンバの中には位置制限機構が設けられ、前記メインライトの頂端には二組のスライド溝が左右に対称的に設けられ、二組の前記スライド溝の間には照明機構の照明角度を変える動力機構が設けられ、前記メインライトの底端には光通しカバーが固定的に設けられ、前記光通しカバーがすりガラスであり、前記光通しカバーの中には光反射チャンバが設置され、前記光通しカバーの底端にはスタンドが固定的に設けられ、前記光反射チャンバと前記円形チャンバとが第一抜き穴により連通し設けられ、前記スタンドの中には前記光反射チャンバと連通している第二抜き穴が設けられ、前記第二抜き穴が前記第一抜き穴の下方に位置しており、本装置が掛かれた時に、前記照明機構を下に照明させ、これにより光が前記第一抜き穴と前記第二抜き穴とを透過できて下に照らし、前記光反射チャンバの中には光反射機構が設けられ、反射された光に前記光通しカバーを通させ外へ発散できるようにさせ、前記メインライトの頂端には取っ手が固定的に設けられることを特徴とする多機能手提げライト。
【請求項２】
前記照明機構は前記円形チャンバの前後端壁の間に回転できるように設けられた第一引っ掛かり溝を含み、前記第一引っ掛かり溝の外周には二組の前後に対称している円盤が固定的に設けられ、二組の前記円盤の間にはライトスタンドが固定的に設けられ、前記ライトスタンドの中には照明ライトが設けられ、円盤の回転により、照明ライトを水平状態にさせ、これにより光が前記円台溝を透過し外へ水平方向に照らすことができることを特徴とする請求項１に記載の多機能手提げライト。
【請求項３】
前記位置制限機構は前記スライドチャンバの中にスライドできるように設けられたピンを含み、前記ピンが左右に伸びるように設けられ、前記ピンの上下端面にはいずれも復帰ブロックが固定的に設けられ、二組の前記復帰ブロックと前記スライドチャンバの片側端壁との間にはいずれもバネが取り付けられ、前記ピンの片側末端が斜面であり、前記ピンのもう一側の末端には前記メインライトの外に位置している固定ブロックが固定的に設けられ、後側の前記円盤の外周には第一引っ掛かり溝と第二引っ掛かり溝が設けられ、前記第二引っ掛かり溝と前記第一引っ掛かり溝の大きさが同じであることを特徴とする請求項２に記載の多機能手提げライト。
【請求項４】
前記動力機構は前記円形チャンバの頂壁の中にスライドできるように設けられたスライドロッドを含み、前記スライドロッドの頂端には引きリングが固定的に設けられ、前記引きリングの左右両端にはいずれも細い連結ロッドがヒンジによって連結され、二組の前記スライド溝の中にはいずれも小型スライドブロックがスライドできるように設けられ、前記小型スライドブロックと前記スライド溝の片側端壁の間にはいずれも引っ張りバネが取り付けられ、前記小型スライドブロックと前記細い連結ロッドの一端とがヒンジによって連結され、前記スライドロッドの底端には第一連結ロッドがヒンジによって連結され、前記第一連結ロッドと後側に位置している前記円盤とがヒンジによって連結されることを特徴とする請求項３に記載の多機能手提げライト。
【請求項５】
前記光反射機構は前記スタンドの外周に設けられた円環溝を含み、前記円環溝の中にはリングギヤが回転できるように設けられ、前記円環溝の頂壁にはねじロッド軸が回転できるように設けられ、前記ねじロッド軸が左右に対称的に二組設けられ、前記ねじロッド軸の上半部分にはねじ山が設けられ、二組の前記ねじロッド軸の底端にはいずれも前記円環溝の中に位置している歯車が固定的に設けられ、前記歯車と前記リングギヤの内側とが噛み合い、二組の前記ねじロッド軸の外周にはいずれもねじ山ブロックがねじ山によって連結され、二組の前記ねじ山ブロックと前記光通しカバーとの間にはいずれも第二連結ロッドがヒンジによって連結され、前記光反射チャンバの底壁には半円形スライドブロックがスライドできるように設けられ、前記半円形スライドブロックが左右に対称的に二組設けられ、前記半円形スライドブロックの頂端にはいずれも第一反射鏡が固定的に設けられ、二組の前記第一反射鏡が一つの円形に組み合わせられることができ、また前記第一反射鏡が凸面に設計され、二組の前記半円形スライドブロックと前記ねじ山ブロックとの間には第三連結ロッドがヒンジによって連結され、前記光反射チャンバの頂壁には第二反射鏡が固定的に設けられることを特徴とする請求項１に記載の多機能手提げライト。
【手続補正２】
【補正対象書類名】明細書
【補正対象項目名】全文
【補正方法】変更
【補正の内容】
【発明の詳細な説明】
【技術分野】
【０００１】
本発明は手提げライト分野を取り上げて、具体的には多機能手提げライトである。
【背景技術】
【０００２】
今市販の手提げライトのほとんどが単一の手持ち照明機能を持ち、更に構造が簡単であり、よく見られており、設計が新しくなく、競争力がなく、使用要求に満足できなく、従って、多機能の普及価値がある手提げライトを設計する必要がある。
【先行技術文献】
【特許文献】
【０００３】
【特許文献１】中国特許出願公開第１０８２５３３２６号明細書
【発明の概要】
【発明が解決しようとする課題】
【０００４】
本発明の目的は多機能手提げライトを提供し、それは上記の現在の技術中の問題を解決できる。
【課題を解決するための手段】
【０００５】
本発明の多機能手提げライトはメインライトを含み、前記ライトの中には円形チャンバが設けられ、前記円形チャンバの中には照明機構が設けられ、前記円形チャンバの左側端壁には円台溝が設けられ、前記円台溝が外部と連通するように設けられ、前記円形チャンバの右側にはスライドチャンバが設けられ、前記スライドチャンバの中には位置制限機構が設けられ、前記メインライトの頂端には二組のスライド溝が左右に対称的に設けられ、二組の前記スライド溝の間には照明機構の照明角度を変える動力機構が設けられ、前記メインライトの底端には光通しカバーが固定的に設けられ、前記光通しカバーがすりガラスであり、前記光通しカバーの中には光反射チャンバが設置され、前記光通しカバーの底端にはスタンドが固定的に設けられ、前記光反射チャンバと前記円形チャンバとが第一抜き穴により連通し設けられ、前記スタンドの中には前記光反射チャンバと連通している第二抜き穴が設けられ、前記第二抜き穴が前記第一抜き穴の下方に位置しており、本装置が掛かれた時に、前記照明機構を下に照明させ、これにより光が前記第一抜き穴と前記第二抜き穴とを透過できて下に照らし、前記光反射チャンバの中には光反射機構が設けられ、反射された光に前記光通しカバーを通させ外へ発散できるようにさせ、前記メインライトの頂端には取っ手が固定的に設けられる。
【０００６】
更の技術プラン、前記照明機構は前記円形チャンバの前後端壁の間に回転できるように設けられた第一引っ掛かり溝を含み、前記第一引っ掛かり溝の外周には二組の前後に対称している円盤が固定的に設けられ、二組の前記円盤の間にはライトスタンドが固定的に設けられ、前記ライトスタンドの中には照明ライトが設けられ、円盤の回転により、照明ライトを水平状態にさせ、これにより光が前記円台溝を透過し外へ水平方向に照らすことができる。
【０００７】
更の技術プラン、前記位置制限機構は前記スライドチャンバの中にスライドできるように設けられたピンを含み、前記ピンが左右に伸びるように設けられ、前記ピンの上下端面にはいずれも復帰ブロックが固定的に設けられ、二組の前記復帰ブロックと前記スライドチャンバの片側端壁との間にはいずれもバネが取り付けられ、前記ピンの片側末端が斜面であり、前記ピンのもう一側の末端には前記メインライトの外に位置している固定ブロックが固定的に設けられ、後側の前記円盤の外周には第一引っ掛かり溝と第二引っ掛かり溝が設けられ、前記第二引っ掛かり溝と前記第一引っ掛かり溝の大きさが同じであり。
【０００８】
更の技術プラン、前記動力機構は前記円形チャンバの頂壁の中にスライドできるように設けられたスライドロッドを含み、前記スライドロッドの頂端には引きリングが固定的に設けられ、前記引きリングの左右両端にはいずれも細い連結ロッドがヒンジによって連結され、二組の前記スライド溝の中にはいずれも小型スライドブロックがスライドできるように設けられ、前記小型スライドブロックと前記スライド溝の片側端壁の間にはいずれも引っ張りバネが取り付けられ、前記小型スライドブロックと前記細い連結ロッドの一端とがヒンジによって連結され、前記スライドロッドの底端には第一連結ロッドがヒンジによって連結され、前記第一連結ロッドと後側に位置している前記円盤とがヒンジによって連結され。
【０００９】
更の技術プラン、前記光反射機構は前記スタンドの外周に設けられた円環溝を含み、前記円環溝の中にはリングギヤが回転できるように設けられ、前記円環溝の頂壁にはねじロッド軸が回転できるように設けられ、前記ねじロッド軸が左右に対称的に二組設けられ、前記ねじロッド軸の上半部分にはねじ山が設けられ、二組の前記ねじロッド軸の底端にはいずれも前記円環溝の中に位置している歯車が固定的に設けられ、前記歯車と前記リングギヤの内側とが噛み合い、二組の前記ねじロッド軸の外周にはいずれもねじ山ブロックがねじ山によって連結され、二組の前記ねじ山ブロックと前記光通しカバーとの間にはいずれも第二連結ロッドがヒンジによって連結され、前記光反射チャンバの底壁には半円形スライドブロックがスライドできるように設けられ、前記半円形スライドブロックが左右に対称的に二組設けられ、前記半円形スライドブロックの頂端にはいずれも第一反射鏡が固定的に設けられ、二組の前記第一反射鏡が一つの円形に組み合わせられることができ、また前記第一反射鏡が凸面に設計され、二組の前記半円形スライドブロックと前記ねじ山ブロックとの間には第三連結ロッドがヒンジによって連結され、前記光反射チャンバの頂壁には第二反射鏡が固定的に設けられ。
【発明の効果】
【００１０】
本発明の手提げライトは三つの使用状態があり、懐中電灯として遠いところへ照らすことができ、ペンダントランプとして下に照らすこともでき、またデスクトップに置いたライトとしても使用でき、複数の機能を持ち、伝統的な手提げライトの機能の単一のデメリットを補った。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の多機能手提げライトの内部全体構成略図
【図２】図２は本発明のねじ山ブロックの部分拡大略図
【図３】図３は本発明の小型スライドブロックの部分拡大略図
【図４】図４は本発明の半円形スライドブロックの略図
【図５】図５は本発明の円盤の側面図
【図６】図６は本発明の後側に位置する円盤の断面図
【図７】図７は本発明のピンの略図
【発明を実施するための形態】
【００１３】
図１〜７を参照し、本発明の多機能手提げライトはメインライト１０を含み、前記ライト１０の中には円形チャンバ１１が設けられ、前記円形チャンバ１１の中には照明機構８１が設けられ、前記円形チャンバ１１の左側端壁には円台溝１２が設けられ、前記円台溝１２が外部と連通するように設けられ、前記円形チャンバ１１の右側にはスライドチャンバ１９が設けられ、前記スライドチャンバ１９の中には位置制限機構８２が設けられ、前記メインライト１０の頂端には二組のスライド溝５２が左右に対称的に設けられ、二組の前記スライド溝５２の間には照明機構８１の照明角度を変える動力機構８３が設けられ、前記メインライト１０の底端には光通しカバー１３が固定的に設けられ、前記光通しカバー１３がすりガラスであり、前記光通しカバー１３の中には光反射チャンバ１４が設置され、前記光通しカバー１３の底端にはスタンド６０が固定的に設けられ、前記光反射チャンバ１４と前記円形チャンバ１１とが第一抜き穴１５により連通し設けられ、前記スタンド６０の中には前記光反射チャンバ１４と連通している第二抜き穴１６が設けられ、前記第二抜き穴１６が前記第一抜き穴１５の下方に位置しており、本装置が掛かれた時に、前記照明機構８１を下に照明させ、これにより光が前記第一抜き穴１５と前記第二抜き穴１６とを透過できて下に照らし、前記光反射チャンバ１４の中には光反射機構８４が設けられ、反射された光に前記光通しカバー１３を通させ外へ発散できるようにさせ、前記メインライト１０の頂端には取っ手２８が固定的に設けられる。
【００１４】
前記照明機構８１は前記円形チャンバ１１の前後端壁の間に回転できるように設けられた第一引っ掛かり溝３９を含み、前記第一引っ掛かり溝３９の外周には二組の前後に対称している円盤２４が固定的に設けられ、二組の前記円盤２４の間にはライトスタンド２２が固定的に設けられ、前記ライトスタンド２２の中には照明ライト２３が設けられ、円盤２４の回転により、照明ライト２３を水平状態にさせ、これにより光が前記円台溝１２を透過し外へ水平方向に照らすことができる。
【００１５】
前記位置制限機構８２は前記スライドチャンバ１９の中にスライドできるように設けられたピン１８を含み、前記ピン１８が左右に伸びるように設けられ、前記ピン１８の上下端面にはいずれも復帰ブロック２１が固定的に設けられ、二組の前記復帰ブロック２１と前記スライドチャンバ１９の片側端壁との間にはいずれもバネ２０が取り付けられ、前記ピン１８の片側末端が斜面であり、前記ピン１８のもう一側の末端には前記メインライト１０の外に位置している固定ブロック１７が固定的に設けられ、後側の前記円盤２４の外周には第一引っ掛かり溝３９と第二引っ掛かり溝３７が設けられ、前記第二引っ掛かり溝３７と前記第一引っ掛かり溝３９の大きさが同じであり、前記ライトスタンド２２が下に向く時、前記ピン１８が前記第一引っ掛かり溝３９の中に挿入され、前記円盤２４の位置を固定させ、これにより光を下に向いて照らさせ、前記ライトスタンド２２が水平位置にある時、前記ピン１８が前記第二引っ掛かり溝３７の中に挿入され、前記ライトスタンド２２を固定する。
【００１６】
前記動力機構８３は前記円形チャンバ１１の頂壁の中にスライドできるように設けられたスライドロッド２６を含み、前記スライドロッド２６の頂端には引きリング２７が固定的に設けられ、前記引きリング２７の左右両端にはいずれも細い連結ロッド２９がヒンジによって連結され、二組の前記スライド溝５２の中にはいずれも小型スライドブロック５３がスライドできるように設けられ、前記小型スライドブロック５３と前記スライド溝５２の片側端壁の間にはいずれも引っ張りバネ５４が取り付けられ、前記小型スライドブロック５３と前記細い連結ロッド２９の一端とがヒンジによって連結され、前記スライドロッド２６の底端には第一連結ロッド２５がヒンジによって連結され、前記第一連結ロッド２５と後側に位置している前記円盤２４とがヒンジによって連結され、位置制限機構８２が開けられた後、前記引きリング２７を引き動かすことにより、前記スライドロッド２６を上にスライドさせ、それにより前記円盤２４を回転させ、それにより前記ライトスタンド２２を水平位置にさせ、前記照明ライト２３の光が前記円台溝１２を透過して左側へ照らし、二組の前記小型スライドブロック５３が互いに近づき、前記引きリング２７を放した後、前記引っ張りバネ５４が前記小型スライドブロック５３を引いて戻らせ、前記円盤２４を下に照らせることができる。
【００１７】
前記光反射機構８４は前記スタンド６０の外周に設けられた円環溝３２を含み、前記円環溝３２の中にはリングギヤ３１が回転できるように設けられ、前記円環溝３２の頂壁にはねじロッド軸３０が回転できるように設けられ、前記ねじロッド軸３０が左右に対称的に二組設けられ、前記ねじロッド軸３０の上半部分にはねじ山が設けられ、二組の前記ねじロッド軸３０の底端にはいずれも前記円環溝３２の中に位置している歯車３３が固定的に設けられ、前記歯車３３と前記リングギヤ３１の内側とが噛み合い、二組の前記ねじロッド軸３０の外周にはいずれもねじ山ブロック３６がねじ山によって連結され、二組の前記ねじ山ブロック３６と前記光通しカバー１３との間にはいずれも第二連結ロッド３４がヒンジによって連結され、前記光反射チャンバ１４の底壁には半円形スライドブロック４０がスライドできるように設けられ、前記半円形スライドブロック４０が左右に対称的に二組設けられ、前記半円形スライドブロック４０の頂端にはいずれも第一反射鏡４１が固定的に設けられ、二組の前記第一反射鏡４１が一つの円形に組み合わせられることができ、また前記第一反射鏡４１が凸面に設計され、二組の前記半円形スライドブロック４０と前記ねじ山ブロック３６との間には第三連結ロッド３５がヒンジによって連結され、前記光反射チャンバ１４の頂壁には第二反射鏡４２が固定的に設けられ、前記第二反射鏡４２が光を反射でき、手動で前記リングギヤ３１を回転させ、前記歯車３３に前記ねじロッド軸３０を回転連動させ、これにより前記ねじ山ブロック３６を上下にスライドさせることができ、これにより二組の前記半円形スライドブロック４０を連結させる或いは離れさせ、二組の前記半円形スライドブロック４０が連結された時、光が前記第一反射鏡４１により反射されることができ、離れた時に、光が前記第二抜き穴１６を透過して下へ照らす。
【００１８】
使用する時、手提げで使用すると、右にピン１８を引き動かし、ピン１８を第一引っ掛かり溝３９から離脱させ、手で前記取っ手２８を提げ、引きリング２７を引き動かし、スライドロッド２６を上に移動させ、これにより円盤２４を回転させ、ライトスタンド２２を水平位置にさせ、この時ピン１８が第二引っ掛かり溝３７の中に挿入され、円盤２４の位置を制限し、照明ライト２３をつけ、使用し、ペンダントランプとして使用するとき、取っ手２８を掛け、照明ライト２３を下に向かせ、同時にピン１８を第一引っ掛かり溝３９の中に挿入し、またリングギヤ３１を回転させ、歯車３３にねじロッド軸３０を回転連動させ、これによりねじ山ブロック３６を上に移動させ、二組の半円形スライドブロック４０を離れさせ、これにより光に第二抜き穴１６を透過させて下へ照らさせ、デスクトップに置いて使用する時、照明ライト２３を下に向いたままにさせ、リングギヤ３１を逆方向に回転させ、ねじ山ブロック３６を下に移動させ、これにより半円形スライドブロック４０を互いに近づけ、光を第一反射鏡４１に照らさせ、第一反射鏡４１の反射により、光反射チャンバ１４に照らされ、光反射チャンバ１４が反射し、光に光通しカバー１３を透過させて発散させる。
【００１９】
本発明の有益効果は：本発明の手提げライトは三つの使用状態があり、懐中電灯として遠いところへ照らすことができ、ペンダントランプとして下に照らすこともでき、またデスクトップに置いたライトとしても使用でき、複数の機能を持ち、伝統的な手提げライトの機能の単一のデメリットを補った。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。